(57)【要約】      （修正有）【課題】簡易に陳列棚に取付け可能な新規な表示体及び展示具を提供する。【解決手段】予め小型画像装置を取付ける台座を用意して画像モニターと再生装置とを固定しておき、陳列棚にトレー部一体型の表示部本体を載置し、あるいは従来の陳列棚の突起体を利用して表示体本体を載置することで、上記小型画像装置固定台座を表示体本体の平面部に載置固定して、最後に広告表示体を上面から係止する。【選択図】図１
0003111213.tif 000002
【実用新案登録請求の範囲】
【請求項１】
小型画像装置を載置固定する画像装置用台座と、該画像装置用台座を載置する本体部と、前記画像装置用台座上のモニター部と対向する位置に開口部を有し、他の部分に広告面を有する表示体ケースとから構成され、
小型画像装置を載置固定した画像装置用台座を本体部の平面部に載置した後に、該小型画像装置を被覆しながら前記表示体ケースの上側部を前記本体部上端に係止することにより画像面と広告面とが表面から視認可能な広告表示体。
【請求項２】
前記画像装置用台座は、平板状の基台に位置する少なくとも１対以上の支持板が固定され、基台底部に粘着材が塗布されていることを特徴とする請求項１記載の広告表示体。
【請求項３】
前記画像装置用台座を載置する本体部は、本体部の任意部分に係止用の小孔部を少なくとも１以上設けてあることを特徴とする請求項１記載の広告表示体。
【請求項４】
小型画像装置を載置固定する画像装置用台座と、該画像装置用台座を載置する本体部と、前記画像装置用台座上のモニター部と対向する位置に開口部を有し、他の部分に広告面を有する表示体ケースとから構成され、
前記本体部は、商品を陳列するトレー部と前記画像装置用台座を載置する載置部とが一体的に形成され、
商品陳列棚にトレー部を載置し、
次いで、小型画像装置を載置固定する画像装置用台座を本体部の平面部に載置した後に、該小型画像装置を被覆しながら前記表示体ケースの上側部を前記本体部上端に係止することにより画像面と広告面とが表面から視認可能とした展示具。
【請求項５】
前記本体部のトレー部と載置部の一体形状は、トレー部前端部から載置部が略Ｌ字状に折り曲がった形状、又は、本体背面部の任意の箇所にトレー部前端部がＴ字状に、載置部が本体背面部下端にＬ字状に折り曲がった形状、並びに、本体背面部が逆Ｕ字状に溝部を有してトレー部と繋がり、載置部が本体背面部下端がＬ字状に折り曲がった形状の何れかであることを特徴とする請求項２記載の展示具。
【請求項６】
小型画像装置を載置固定する画像装置用台座と、該画像装置用台座を載置する本体部と、前記画像装置用台座上のモニター部と対向する位置に開口部を有し、他の部分に広告面を有する表示体ケースとから構成され、
前記本体部は、商品を陳列する陳列ケースの背板の上端部を挟持する溝部と前記画像装置用台座を載置する載置部とが一体的に形成され、
商品を陳列する背板の上端部に前記本体部の溝部を挟持して取付けた後に、次いで、小型画像装置を載置固定する画像装置用台座を本体部の載置部に載置し、該小型画像装置を被覆しながら前記表示体ケースの上側部を前記本体部上端に係止することにより画像面と広告面とが表面から視認可能とした展示具。
【請求項７】
小型画像装置のモニター部と対向する位置に開口部を有し、他の部分に広告面を有する広告部からなる表示体ケース部と、溝部を有する本体部とから構成され、
前記表示体ケース部裏面に設けた固定具に小型画像装置のモニター部と画像記録媒体再生装置を装着して本体部の上端部に係止し、
前記本体部内側に設けた逆Ｕ字状溝部をトレー前面の突起体に嵌合することによって、画像面と広告面とが表面から視認可能とした広告表示体。
【請求項８】
小型画像装置のモニター部と対向する位置に開口部を有し、他の部分に広告面を有する表示体ケース部と、溝部を有する本体部にトレー部が一体成形されてなる展示具であって、
前記表示体ケース部裏面に設けた固定具に小型画像装置のモニター部と画像記録媒体再生装置を装着して本体部の上端部に係止し、
前記本体部内側に設けた逆Ｕ字状溝部をトレー前面の突起体に嵌合することによって、画像面と広告面とが表面から視認可能とした展示具。
【考案の詳細な説明】
【技術分野】
【０００１】
本考案は、店頭等の商品陳列台の側において、小型画像装置によって商品等の広告表示を自動的に行う広告表示体及び展示具に関し、更に詳しくは、簡易な構造で小型画像装置からの映像を特定時間行える新規な広告表示体及び展示具を提供するものである。
【背景技術】
【０００２】
従来、商品の展示ケースや陳列棚の側にテレビ受信機をおいて、テレビ画像により商品の宣伝をすることは良く知られているが、この場合は、テレビ受信機をおく専用スペースが必要となり販売促進上好ましいものではなかった。
【０００３】
また商品ケースの上部に画面表示部を設け、ケース内部に設置した画像装置を用いてケース内の商品を宣伝するものも知られているが、これらは独立したケースを用いるために移動可能な箇所に用いる分には適している装置である（特開２００１−１９０３６８号、特開２００３−１０２６０１号）。
【０００４】
さらに陳列棚の棚面の突起体を利用する表示体として、小型画像装置前面の画像表示パネルと対向する部位に窓孔部を設け、且つ、適宜広告表示を施した表示プレートを該装置前面側に設けた広告表示体の背面に小型画像パネルを装着し、さらに、その表示体を商品を展示する展示具に取付けたを展示具も公知である（特開平１１−２４９５７４号、特許第２９２１３６１号）。
【特許文献１】特開２００１−１９０３６８号
【特許文献２】特開２００３−１０２６０１号
【特許文献３】特開平１１−２４９５７４号
【特許文献４】特許第２９２１３６１号
【考案の開示】
【考案が解決しようとする課題】
【０００５】
上記、小型装置を表示プレートの背面に装着する展示具は、商品の陳列棚毎に設置でき利用価値の高いものであるが、広告表示体と商品トレイとが一体型のものが商品共々陳列棚に載置できると販売促進上は好ましい形態である。
【０００６】
また小型画像装置を前記広告表示体の背面に装着する場合は、表示ケースの表裏板を装着毎に嵌合固定する必要があるために手間がかかると言う課題があった。
【課題を解決するための手段】
【０００７】
本考案者は斯かる課題を解決するために鋭意研究したところ、予め小型画像装置を取付ける台座を用意して画像モニターと再生装置とを固定しておき、陳列棚にトレー部一体型の表示部本体を載置し、あるいは従来の陳列棚の突起体を利用して表示体本体を載置することで、上記小型画像装置固定台座を表示体本体の平面部に載置固定して、最後に広告表示体を上面から係止することで簡易に陳列棚に取付け可能な新規な表示体及び展示具を提供するものである。
【０００８】
すなわち本考案の第一は、小型画像装置を載置固定する画像装置用台座と、該画像装置用台座を載置する本体部と、前記画像装置用台座上のモニター部と対向する位置に開口部を有し、他の部分に広告面を有する表示体ケースとから構成され、小型画像装置を載置固定した画像装置用台座を本体部の平面部に載置した後に、該小型画像装置を被覆しながら前記表示体ケースの上側部を前記本体部上端に係止することにより画像面と広告面とが表面から視認可能な広告表示体である。
【０００９】
本考案の第二は、前記画像装置用台座は、平板状の基台に斜め状に位置する少なくとも１対以上の支持板が固定され、基台底部に粘着材が塗布されていることを特徴とする請求項１記載の広告表示体である。
【００１０】
本考案の第三は、前記画像装置用台座を載置する本体部は、本体部の任意部分に係止用の小孔部を少なくとも１以上設けてあることを特徴とする請求項１記載の広告表示体である。
【００１１】
本考案の第四は、小型画像装置を載置固定する画像装置用台座と、該画像装置用台座を載置する本体部と、前記画像装置用台座上のモニター部と対向する位置に開口部を有し、他の部分に広告面を有する表示体ケースとから構成され、前記本体部は、商品を陳列するトレー部と前記画像装置用台座を載置する載置部とが一体的に形成され、商品陳列棚にトレー部を載置し、次いで、小型画像装置を載置固定する画像装置用台座を本体部の平面部に載置した後に、該小型画像装置を被覆しながら前記表示体ケースの上側部を前記本体部上端に係止することにより画像面と広告面とが表面から視認可能とした展示具である。
【００１２】
本考案の第五は、前記本体部のトレー部と載置部の一体形状は、トレー部前端部から載置部が略Ｌ字状に折り曲がった形状、又は、本体背面部の任意の箇所にトレー部前端部がＴ字状に、載置部が本体背面部下端にＬ字状に折り曲がった形状、並びに、本体背面部が逆Ｕ字状に溝部を有してトレー部と繋がり、載置部が本体背面部下端がＬ字状に折り曲がった形状の何れかであることを特徴とする請求項２記載の展示具である。
【００１３】
本考案の第六は、小型画像装置を載置固定する画像装置用台座と、該画像装置用台座を載置する本体部と、前記画像装置用台座上のモニター部と対向する位置に開口部を有し、他の部分に広告面を有する表示体ケースとから構成され、前記本体部は、商品を陳列する背板の上端部を挟持する溝部と前記画像装置用台座を載置する載置部とが一体的に形成され、商品を陳列する陳列ケースの背板の上端部に前記本体部の溝部を挟持して取付けた後に、次いで、小型画像装置を載置固定する画像装置用台座を本体部の載置部に載置し、該小型画像装置を被覆しながら前記表示体ケースの上側部を前記本体部上端に係止することにより画像面と広告面とが表面から視認可能とした展示具である。
【００１４】
本考案の第七は、小型画像装置のモニター部と対向する位置に開口部を有し、他の部分に広告面を有する広告部からなる表示体ケース部と、溝部を有する本体部とから構成され、前記表示体ケース部裏面に設けた固定具に小型画像装置のモニター部と画像記録媒体再生装置を装着して本体部の上端部に係止し、前記本体部内側に設けた逆Ｕ字状溝部をトレー前面の突起体に嵌合することによって、画像面と広告面とが表面から視認可能とした広告表示体である。
【００１５】
本考案の第八は、小型画像装置のモニター部と対向する位置に開口部を有し、他の部分に広告面を有する表示体ケース部と、溝部を有する固定具にトレー部が一体成形されてなる展示具であって、前記表示体ケース部裏面に設けた固定具に小型画像装置のモニター部と画像記録媒体再生装置を装着して本体部の上端部に係止し、前記本体部内側に設けた逆Ｕ字状溝部をトレー前面の突起体に嵌合することによって、画像面と広告面とが表面から視認可能とした展示具である。
【考案の効果】
【００１６】
本考案の展示具は、予め画像装置用台座に順次画像モニター部と映像情報再生装置とを固定しておき、トレーと一体型の本体部を陳列棚に載置した後に本体部の平面部に該画像装置用台座を載置固定し、最後に表示体ケースをこれらの上面から係止するだけで良いため誰でもが簡易に設置可能な展示具となっている。
【００１７】
また陳列棚の前面に商品止めの突起体がある場合には、表示体内部に設けた溝部で嵌合固定できるためにトレーと一体型の溝付き本体部を陳列棚の上方から載置し、又、表示体単独の場合も、表示体内部に設けた溝部で前記商品止め突起体に嵌合すればよいため、簡易に陳列棚に設置可能となっている。
【００１８】
画像装置の内、再生装置側端部、あるいは前面部には商品情報の記録媒体を出し入れ可能な入口を設けており、商品の配置によって記録媒体を容易に交換可能としている。
【考案を実施するための最良の形態】
【００１９】
以下に図面をもって本考案の表示体及び展示具を詳細に説明するが、本考案の範囲はこれらに限定されないものである。
【実施例１】
【００２０】
図１は、本考案の広告表示体に係る斜視図である。この広告表示体は、小型画像装置４載置固定する画像装置用台座３と、該画像装置用台座３を載置する本体部１と、前記画像装置用台座３上のモニター部と対向する位置に開口部６を有し、他の部分に広告面を有する表示体ケース２とから構成され、小型画像装置４を載置固定した画像装置用台座３を本体部の平面部に載置した後に、該小型画像装置を被覆しながら前記表示体ケース２の上側部を前記本体部上端に係止することにより画像面と広告面とが表面から視認可能な広告表示体である。
【００２１】
この場合、本体部１の形状としては基本的に本体部前面に略Ｌ字状の平面部を有して、小型画像装置を固定した台座を載置可能としているほか、本体部背面板との間に図１に示すように陳列棚の商品滑り止め突起体に嵌合可能な溝部５を設けても良い。
【００２２】
本考案の広告表示体の本体部に載置する画像装置用台座は、図２に示すように平板状の基台に斜め状に位置する２対の支持板が固定され、基台底部に粘着材が塗布されており、更に、図３に示すように一対の支持板に小型画像装置のうちモニター画面９を含むモニター部４が取付け固定され、他の支持板にはスピーカー１１等を含む記録媒体再生装置１０が取付け固定されている。
【００２３】
図４は、画像装置用台座３上のモニター部と対向する位置に開口部６を有し、他の部分に広告面を有する表示体ケース２の斜視図である。この表示体ケース２は、開口部６の箇所からモニター画面が視認できるようになっており、また、表示体ケース２の上端部には、嵌合溝１２を設けて小型画像装置を本体部１に載置した状態で、本体部背面の上端部に係止できるようにしている。
【００２４】
なお、表示ケース２を本体部１に係止する手段としては、図示しないが本体部上端部に半球状の固定部を設け、相対峙する表示ケースの部分に前記固定部に左右から挿通可能な突起部を設けて嵌合して、上下に移動できるようにしても良い。
【００２５】
また図４では、表示ケース２の側面に側面部を設けていないが、当然に側面部を設けた表示ケースで本体部１に係止することも可能であり、この場合には、小型画像装置のスイッチをオンオフ可能な開口部や、音量を調整するボリウムボタンの開口部をこの側面部に取付けることが可能である。
【実施例２】
【００２６】
図５は、実施例１の広告表示体を応用した展示具を示す斜視図であるが、小型画像装置を載置固定する画像装置用台座３と、該画像装置用台座を載置する本体部１３と、前記画像装置用台座３上のモニター部４と対向する位置に開口部を有し、他の部分に広告面を有する表示体ケース２とから構成され、前記本体部１３は、商品を陳列するトレー部１４と前記画像装置用台座を載置する載置部１５とが一体的に形成され、商品陳列棚にトレー部１４を載置し、次いで、小型画像装置を載置固定する画像装置用台座３を本体部の載置部１５に載置した後に、該小型画像装置を被覆しながら前記表示体ケース２の上側部の嵌合溝１２を前記本体部上端に係止することにより画像面と広告面とが表面から視認可能とした展示具である。
【００２７】
この場合、前記本体部１３のトレー部１４と載置部１５の一体形状は、図６に示すようにトレー部１４前端部から載置部１５が略Ｌ字状に折り曲がった形状、又は、図５に示すように本体背面部の任意の箇所にトレー部１４前端部がＴ字状に、載置部１５が本体背面部下端にＬ字状に折り曲がった形状、並びに、図７に示すように本体背面部が逆Ｕ字状の溝部５を有してトレー部１４と繋がり、載置部１５が本体背面部の下端がＬ字状に折り曲がった形状の何れかであればよい。
【実施例３】
【００２８】
図８は、更に別な形態を示す展示具の斜視図である。この展示具は、小型画像装置を載置固定する画像装置用台座３と、該画像装置用台座を載置する本体部１６と、前記画像装置用台座３上のモニター部４と対向する位置に開口部６を有し、他の部分に広告面を有する表示体ケース２とから構成され、前記本体部１６は、商品を陳列する陳列ケースの背板の上端部を挟持する溝部２０と前記画像装置用台座３を載置する載置部１９とが一体的に形成され、商品を陳列する背板の上端部に前記本体部１６の溝部２０を挟持して取付けた後に、次いで、小型画像装置を載置固定する画像装置用台座３を本体部の載置部１９に載置し、該小型画像装置を被覆しながら前記表示体ケース２の上側部を前記本体部上端に係止することにより画像面と広告面とが表面から視認可能とするものである。
【００２９】
この場合、商品を陳列する陳列ケースの背板の上端部の厚み幅はそのケースによって異なるので、本体部１６の溝部２０内に発泡剤等からなる緩衝材１８を予め貼り付けておき、この緩衝材１８で陳列ケースの背板に取付けるようにする。
【実施例４】
【００３０】
図９は、別な形態を示す広告表示体の斜視図である。この広告表示体は、小型画像装置のモニター部と対向する位置に開口部２２を有し、他の部分に広告面２３を有する広告部からなる表示体ケース部と、溝部２６を有する本体部２１とから構成され、前記表示体ケース部２７裏面に設けた固定具２４に小型画像装置のモニター部２５と画像記録媒体再生装置（図示せず）を装着して本体上部端部に係止し、前記本体部２１内側に設けた逆Ｕ字状溝部２６をトレー前面の突起体（図示せず）に嵌合することによって、画像面と広告面とが表面から視認可能とした広告表示体２７である。
【００３１】
この場合、広告表示体２７は、先に本体部２１を陳列棚の突起体に嵌合固定した後に、表示体ケース部の背面に設けた固定具２４で小型画像装置のモニター部２５と画像記録媒体再生装置（図示せず）を装着して、本体部２１の上端部と前面端部に沿って係止するものである。
【実施例５】
【００３２】
図１０は、実施例４で示す広告表示体を用いた展示具を示す斜視図である。この展示具は、小型画像装置のモニター部と対向する位置に開口部２２を有し、他の部分に広告面２３を有する表示体ケース部２７と、溝部を有する本体部２１にトレー部２８が一体成形されてなる展示具であって、前記表示体ケース部２７裏面に設けた固定部２４に小型画像装置のモニター部２５と画像記録媒体再生装置（図示せず）を装着し、前記本体部２１内側に設けた逆Ｕ字状溝部２６をトレー前面の突起体（図示せず）に嵌合することによって、画像面と広告面とが表面から視認可能とした展示具である。
【００３３】
この場合、溝部２６を有する本体部２１を、予め突起体を有する陳列棚の上に載置した後に、表示体ケース部の背面に設けた固定具２４で小型画像装置のモニター部２５と画像記録媒体再生装置（図示せず）を装着して、本体部２１の上端部と前面端部に沿って係止することによって、売り場面積との確保と展示商品のＰＲとを同時にできるものである。
【実施例６】
【００３４】
図１１は、本考案の別な形態を示す広告表示体の斜視図である。この広告表示体は、小型画像装置を載置固定する画像装置用台座３と、該画像装置用台座を載置する本体部２９と、前記画像装置用台座上のモニター部４と対向する位置に開口部６を有し、他の部分に広告面を有する表示体ケース２とから構成され、本体部２９の背板側に設けられた小孔部３０を展示具の止め付け具（図示せず）に係止した後に、モニター部等の小型画像装置を直立的に載置固定した画像装置用台座３を本体部２９の平面部に載置し、次いで、該小型画像装置を被覆しながら前記表示体ケース２の上側部を前記本体部上端に係止することにより画像面と広告面とが表面から視認可能な広告表示体である。
【００３５】
この様な形態のものとして、図１２に示すように前面部に小孔部３０と本体開口部３２とを有する前面用の本体部３１を用いる場合には、図１３に示すように本体部３１の前面部に設けられた小孔部３０を展示具の止め付け具（図示せず）に係止した後に、モニター部４等の小型画像装置を載置固定した画像装置用台座３を本体部３１の平面部に載置し、次いで、該小型画像装置を被覆しながら前記表示体ケース２の上側部を前記本体部３１上端に係止することにより画像面と広告面とが表面から視認可能な広告表示体であってもよい。
【００３６】
上記のように本考案の各実施例で使用する小型画像装置は、基本的にモニター部と画像記録媒体再生装置とタイマー部とから構成され、表示体ケース部の開口部はモニター画面の大きさに合わせて設定されている。
【００３７】
モニター部は、市販品である照明型や自発型の５インチのディスプレイの１種を選択して用い、画像記録媒体再生装置はスピーカーを内蔵する装置であって、予め商品説明情報を記録したＣＤ等の記録媒体の映像や音声を再生させる市販装置であればよい。
【００３８】
本考案装置を店頭で用いる場合には、上記モニター部と画像記録媒体再生装置とを一体型に配線してＡＣ電源と接続すれば映像が可能であるが、さらにタイマーを用いて営業時間内の放映を制御すると説明員が不要となり、販売コストの削除に寄与するものである。
【００３９】
また別な形態としては、小型画像装置のうちモニター部のみを画像装置用台座３の上に載置固定して、他の画像記録媒体再生装置やタイマー部を展示具内に設置して操作することも当然可能である。
【図面の簡単な説明】
【００４０】
【図１】本考案の広告表示体に係る斜視図である。
【図２】小型画像装置用台座の斜視図である。
【図３】小型画像装置用台座に取付け固定したモニター部と画像記録媒体再生装置を示す正面図である。
【図４】表示ケースの斜視図である。
【図５】実施例２に係る展示具の斜視図である。
【図６】別な形態の展示具の斜視図である。
【図７】別な形態の展示具の斜視図である。
【図８】別な形態の展示具の斜視図である。
【図９】別な形態の広告表示体の斜視図である。
【図１０】別な形態の展示具の斜視図である。
【図１１】別な形態の広告表示体の斜視図である。
【図１２】実施例６で用いる本体部の斜視図である。
【図１３】別な形態の広告表示体の斜視図である。
【符号の説明】
【００４１】
１・・・本体部
２・・・表示体ケース
３・・・画像装置用台座
４・・・モニター部
５・・・溝部
６・・・モニター画面用開口部
７・・・モニター部支持板
８・・・再生装置支持板
９・・・モニター画面
１０・・画像記録媒体再生装置
１１・・スピーカー
１２・・嵌合溝
１３・・トレー一体型本体部
１４・・トレー部
１５・・載置部
１６・・溝付き本体部
１７・・本体広告部
１８・・緩衝材
１９・・載置部
２０・・溝部
２１・・表示体本体
２２・・モニター用開口部
２３・・広告面
２４・・固定具
２５・・モニター部
２６・・溝部
２７・・広告表示体
２８・・トレー部
２９・・本体部（後面体）
３０・・小孔部
３１・・本体部（前面体）
３２・・本体開口部
【図１】
0003111213.tif 000003
【図２】
0003111213.tif 000004
【図３】
0003111213.tif 000005
【図４】
0003111213.tif 000006
【図５】
0003111213.tif 000007
【図６】
0003111213.tif 000008
【図７】
0003111213.tif 000009
【図８】
0003111213.tif 000010
【図９】
0003111213.tif 000011
【図１０】
0003111213.tif 000012
【図１１】
0003111213.tif 000013
【図１２】
0003111213.tif 000014
【図１３】
0003111213.tif 000015